【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
プロセス制御システムと関連付けられたデータを動的に表示する方法であって、
ユーザによって選択されたプロセス制御情報をグラフィックスエンジンで受信することと、
前記選択されたプロセス制御情報と関連付けられたプロセスデータを特定することと、
前記特定されたプロセスデータをプロセスコントローラから取得することと、
前記取得されたプロセスデータと関連付けられたメタデータを判断することと、
前記メタデータに基づいて前記グラフィックスエンジンでデータ表現を生成することと、
ユーザインタフェースを介して前記データ表現を表示することと、
を含む方法。
【請求項２】
前記データ表現を生成することが、
前記グラフィックスエンジンで前記メタデータのタイプを特定することと、
前記特定されたメタデータのタイプと、データベースにある少なくとも１つのデータ表現タイプとを相互参照することと、
前記特定されたメタデータのタイプと関連付けられた前記少なくとも１つのデータ表現タイプのインスタンスを生成することと、
前記メタデータを前記少なくとも１つのデータ表現タイプの前記インスタンスにあるデータフィールドに関連付けることと、
前記メタデータと関連付けられた前記プロセスデータを前記少なくとも１つのデータ表現タイプのインスタンスにある前記データフィールドと関連付けて、前記データ表現を生成することと、
を含む、請求項１に記載の方法。
【請求項３】
データ表現タイプを選択した後に、前記特定されたメタデータのタイプと前記少なくとも１つのデータ表現タイプとを相互参照するよう前記ユーザに促すことをさらに含む、請求項２に記載の方法。
【請求項４】
前記データ表現と関連付けられたカスタマイズ情報を受信することと、
前記データ表現と前記カスタマイズ情報を参照することと、
前記カスタマイズ情報に基づいて前記データ表現を修正することと、
前記ユーザインタフェースを介して前記修正されたデータ表現を表示することと、
前記データ表現に対する前記カスタマイズ情報の参照をデータベースに格納することと、
をさらに含む、請求項１〜請求項３の何れか１項に記載の方法。
【請求項５】
前記カスタマイズ情報が、１つ以上の前記データ表現の表示の修正、１つ以上の前記データ表現の色の変更、１つ以上の前記データ表現のレイアウトの変更、１つ以上の前記データ表現と関連付けられたグラフィックスの変更、１つ以上の前記データ表現の表示形式の変更、または１つ以上の前記データ表現と関連付けられた識別情報の変更のうちの少なくとも１つを含む、請求項４に記載の方法。
【請求項６】
前記プロセスデータまたは前記メタデータのうちの少なくとも１つに対する変更を受信することと、
前記変更を受信したことに応じて、前記変更されたプロセスデータまたは前記変更されたメタデータの少なくとも１つに基づいて前記データ表現を修正することと、
前記ユーザインタフェースを介して前記修正されたデータ表現を表示することと、
をさらに含む、請求項１〜請求項５の何れか１項に記載の方法。
【請求項７】
前記データ表現を修正することが、前記データ表現に第２のデータ表現を追加すること、前記データ表現にパラメータを追加すること、前記データ表現からパラメータを削除すること、前記データ表現のパラメータの種類を修正すること、または前記データ表現の視覚化を修正することのうちの少なくとも１つを含む、請求項６に記載の方法。
【請求項８】
前記メタデータに基づいて前記グラフィックスエンジンで第２のデータ表現を生成することと、
前記ユーザインタフェースを介して前記第２のデータ表現を表示することと、
をさらに含む、請求項１〜請求項７の何れか１項に記載の方法。
【請求項９】
前記データ表現を描画した後に前記少なくとも１つのデータ表現を表示することをさらに含む、請求項１〜請求項８の何れか１項に記載の方法。
【請求項１０】
前記メタデータを判断することが、前記プロセスデータとメタデータタイプとをデータベースで相互参照することを含む、請求項１〜請求項９の何れか１項に記載の方法。
【請求項１１】
前記メタデータを判断することが、前記プロセスデータと関連付けられたメタデータを特定することを含む、請求項１〜請求項１０の何れか１項に記載の方法。
【請求項１２】
前記選択されたプロセス制御情報が、バッチ識別名、プロセス識別名、コントローラ識別名、現場装置識別名、前記プロセスデータと関連付けられたファイル、前記プロセスデータへのリンク、１つ以上の機能ブロック、１つ以上のパラメータ、１つ以上のプロセス制御エンドポイント、またはプロセス制御ルーチンのうちの少なくとも１つによって特定される、請求項１〜請求項１１の何れか１項に記載の方法。
【請求項１３】
データ識別名によって前記メタデータを解析した後に前記データ表現を生成することをさらに含む、請求項１〜請求項１２の何れか１項に記載の方法。
【請求項１４】
プロセス制御システムと関連付けられたデータを動的に表示する装置であって、
選択されたプロセス制御情報と関連付けられたプロセスデータを特定するためのデータマネージャと、
前記特定されたプロセスデータと関連付けられたメタデータを判断するためのメタデータジェネレータと、
前記メタデータに基づいてデータ表現を生成するためのデータ表現ジェネレータと、
ユーザインタフェースを介して前記データ表現を表示するためのデータ表現表示マネージャと、
を含む装置。
【請求項１５】
ユーザによって選択された前記プロセス制御情報を受信するための選択レシーバと、
前記特定されたプロセスデータをプロセスコントローラから取得し、前記データマネージャに前記特定されたプロセスデータを転送するためのデータリトリーバと、
をさらに含む、請求項１４に記載の装置。
【請求項１６】
前記選択レシーバが、前記プロセスデータまたは前記メタデータのうちの少なくとも１つに対する変更を受信することになっており、
前記データ表現ジェネレータが、前記変更されたプロセスデータまたは前記変更されたメタデータのうちの前記少なくとも１つに基づいて前記データ表現を修正することになっており、
前記データ表現表示マネージャが、前記ユーザインタフェースを介して前記修正されたデータ表現を表示することになっている、
請求項１５に記載の装置。
【請求項１７】
前記データ表現ジェネレータが、
前記メタデータのタイプを特定することと、
前記特定されたメタデータのタイプと少なくとも１つのデータ表現タイプとをメタデータルールデータベースで相互参照することと、
前記特定されたメタデータのタイプと関連付けられた前記少なくとも１つのデータ表現タイプのインスタンスを生成することと、
前記メタデータを前記少なくとも１つのデータ表現タイプの前記インスタンスにあるデータフィールドと関連付けることと、
前記メタデータと関連付けられた前記プロセスデータを前記少なくとも１つのデータ表現タイプのインスタンスにある前記データフィールドと関連付けて前記データ表現を作成することと、
によって前記データ表現を生成することになっている、請求項１４〜請求項１６の何れか１項に記載の装置。
【請求項１８】
前記データ表現表示マネージャが、前記データ表現と関連付けられたカスタマイズ情報を受信することになっており、前記データ表現ジェネレータが、
前記データ表現に対して前記カスタマイズ情報を照会することになっており、
前記カスタマイズ情報に基づいて前記データ表現を修正することになっており、
前記データに対する前記カスタマイズ情報の照会をデータ表現データベースに格納することになっている、
請求項１４〜請求項１７の何れか１項に記載の装置。
【請求項１９】
命令を格納している機械アクセス可能なメディアであって、実行されると、マシンが、
ユーザによって選択されたプロセス制御情報を受信し、
前記選択されたプロセス制御情報と関連付けられたプロセスデータを特定し、
前記特定されたプロセスデータをプロセスコントローラから取得し、
前記取得されたプロセスデータと関連付けられたメタデータを判断し、
前記メタデータに基づいてデータ表現を生成し、
ユーザインタフェースを介して前記データ表現を表示する、
機械アクセス可能なメディア。
【請求項２０】
前記命令が実行されると、前記マシンが、
前記メタデータのタイプを特定し、
前記特定されたメタデータのタイプと少なくとも１つのデータ表現タイプとをデータベースで相互参照し、
前記特定されたメタデータのタイプと関連付けられた前記少なくとも１つのデータ表現タイプのインスタンスを生成し、
前記メタデータを前記少なくとも１つのデータ表現タイプの前記インスタンスにあるデータフィールドに関連付け、
前記メタデータと関連付けられた前記プロセスデータを前記少なくとも１つのデータ表現タイプのインスタンスにある前記データフィールドと関連付けて、前記データ表現を生成する、
請求項１９に記載の機械アクセス可能なメディア。
【請求項２１】
前記命令が実行されると、前記マシンが、
前記データ表現と関連付けられたカスタマイズ情報を受信し、
前記データ表現に対して前記カスタマイズ情報を照会し、
前記カスタマイズ情報に基づいて前記データ表現を修正し、
前記ユーザインタフェースを介して前記修正されたデータ表現を表示し、
前記データ表現に対する前記カスタマイズ情報の照会をデータベースに格納する、
請求項１９又は請求項２０に記載の機械アクセス可能なメディア。
【請求項２２】
プロセス制御システムと関連付けられたデータを動的に表示する装置であって、
稼働すると、前記装置が、
ユーザによって選択されたプロセス制御情報を受信し、
前記選択されたプロセス制御情報と関連付けられたプロセスデータを特定し、
前記特定されたプロセスデータをプロセスコントローラから取得し、
前記取得されたプロセスデータと関連付けられたメタデータを判断し、
前記メタデータに基づいてデータ表現を生成し、
ユーザインタフェースを介して前記データ表現を表示する、
１つ以上のプロセッサを含む装置。
【請求項２３】
前記１つ以上の前記プロセッサが稼働すると、前記装置が、
前記メタデータのタイプを特定し、
前記特定されたメタデータのタイプと少なくとも１つのデータ表現タイプとをデータベース内で相互参照し、
前記特定されたメタデータのタイプと関連付けられた前記少なくとも１つのデータ表現タイプのインスタンスを生成し、
前記メタデータを前記少なくとも１つのデータ表現タイプの前記インスタンスにあるデータフィールドに関連付け、
前記メタデータと関連付けられた前記プロセスデータを前記少なくとも１つのデータ表現タイプのインスタンスにある前記データフィールドと関連付けて、前記データ表現を生成する、
請求項２２に記載の装置。
【請求項２４】
前記１つ以上のプロセッサが稼働すると、前記装置が、
前記データ表現と関連付けられたカスタマイズ情報を受信し、
前記データ表現と前記カスタマイズ情報を参照し、
前記カスタマイズ情報に基づいて前記データ表現を修正し、
前記ユーザインタフェースを介して前記修正されたデータ表現を表示し、
前記データ表現に対する前記カスタマイズ情報の照会をデータベースに格納する、
請求項２２又は請求項２３に記載の装置。